(57)【特許請求の範囲】
【請求項１】
揺動式磁気ヘッドを回動可能に支持するハードディスク装置の軸受ユニットにおいて、軸長手方向の一端部が装置本体側に固定された支軸シャフトを有し、この支軸シャフトの外周に軸方向上下二段の軸受を介して内側スリーブが回転可能に嵌合され、この内側スリーブの外周に軸受配置に対応して軸方向上下二段に凹部が設けられ、これら凹部に上下二段に防振リングが嵌合されるとともに、更にそれら防振リングに筒状の外側スリーブが回転可能に一体として嵌合されており、外側スリーブとの嵌合面である各防振リングの外周側の周方向複数箇所に等間隔に凸部を設け、この凸部を外側スリーブに接触させて嵌合させることで防振リングにダンパー機能と防塵用シール機能とを持たせ、更に防振リングをＪＩＳ Ａ硬度７０〜９９のポリウレタンエラストマー製としたことを特徴とするハードディスク装置の軸受ユニット。
【請求項２】
揺動式磁気ヘッドを回動可能に支持するハードディスク装置の軸受ユニットにおいて、軸長手方向の一端部が装置本体側に固定された支軸シャフトを有し、この支軸シャフトの外周に軸方向上下二段の軸受を介して軸方向上下二段の防振リングのフランジがそれぞれ回転可能に嵌合され、更にそれら防振リングに筒状のスリーブが回転可能に一体として嵌合されており、スリーブとの嵌合面である各防振リングの外周側の周方向複数箇所に等間隔に凸部を設け、この凸部をスリーブに接触させて嵌合させることで防振リングにダンパー機能と防塵用シール機能とを持たせ、更に防振リングをＪＩＳ Ａ硬度７０〜９９のポリウレタンエラストマー製としたことを特徴とするハードディスク装置の軸受ユニット。
【発明の詳細な説明】
【０００１】
【発明の属する技術分野】
本発明は、ハードディスク装置の軸受ユニットに関する。更に詳しくは、ワードプロセッサやパーソナルコンピュータ等の各種コンピュータに内蔵された記憶装置であるハードディスク装置の軸受ユニットに関する。
【０００２】
【従来の技術】
図７は、この種のハードディスク装置の軸受ユニットの一例を示している。ハードディスク装置では、カバーケース１の内部で回転する複数枚からなるディスク２では、半導体メモリ（ＲＡＭ）によって情報の書込みと読出しとが可能となっている。そこには、入力信号による情報データを書込みおよび読出すマルチアーム３等からなる磁気ヘッドが構成されており、マルチアーム３をスイング（揺動）可能に支持するピボットといわれる軸受ユニット４が設けられている。
従来例にあっては、軸受ユニット４は、前記マルチアーム３の支軸であるシャフト５を有し、このシャフト５をベアリングを内輪スリーブと外輪スリーブで受けてマルチアーム３を回動可能に支持している。更に、そうした各部材間の防塵用シール性および外部振動を吸収する防振性の両機能を持たせる２個のニトリルゴム製Ｏリング（ＪＩＳ  Ａ硬度７０）を含めて少なくとも６点以上の部品点数によって軸受ユニットを構成している。
【０００３】
【発明が解決しようとする課題】
ところで、かかるハードディスク装置において、使用される軸受ユニット４は部品点数も多く、各部材に対して厳しい加工精度が要求されるために、製造コストおよび組立コストが高騰するといった問題がある。その要因の１つに、シール用および防振用を兼ねるＯリングの脱落を防止するために、必然的に部品点数が多くなり、高加工精度の要求と相まって製造コストや組立コストを高騰させている点が挙げられる。
【０００４】
本発明の目的は、部品点数の削減により、コスト低減が可能なハードディスク装置の軸受ユニットを提供することにある。
【０００５】
【課題を解決するための手段】
上記目的を達成するため、本発明に係る揺動式磁気ヘッドを回動可能に支持するハードディスク装置の軸受ユニットは、軸長手方向の一端部が装置本体側に固定された支軸シャフトを有し、この支軸シャフトの外周に軸方向上下二段の軸受を介して内側スリーブが回転可能に嵌合され、この内側スリーブの外周に軸受配置に対応して軸方向上下二段に凹部が設けられ、これら凹部に上下二段に防振リングが嵌合されるとともに、更にそれら防振リングに筒状の外側スリーブが回転可能に一体として嵌合されており、外側スリーブとの嵌合面である各防振リングの外周側の周方向複数箇所に等間隔に凸部を設け、この凸部を外側スリーブに接触させて嵌合させることで防振リングにダンパー機能と防塵用シール機能とを持たせ、更に防振リングを、ＪＩＳ Ａ硬度７０〜９９のポリウレタンエラストマー製としている。また、上記目的を達成するため、本発明に係る揺動式磁気ヘッドを回動可能に支持するハードディスク装置の軸受ユニットは、軸長手方向の一端部が装置本体側に固定された支軸シャフトを有し、この支軸シャフトの外周に軸方向上下二段の軸受を介して軸方向上下二段の防振リングのフランジがそれぞれ回転可能に嵌合され、更にそれら防振リングに筒状のスリーブが回転可能に一体として嵌合されており、スリーブとの嵌合面である各防振リングの外周側の周方向複数箇所に等間隔に凸部を設け、この凸部をスリーブに接触させて嵌合させることで防振リングにダンパー機能と防塵用シール機能とを持たせ、更に防振リングをＪＩＳ Ａ硬度７０〜９９のポリウレタンエラストマー製としている。
【０００６】
【発明の実施の形態】
本発明によるハードディスク装置の軸受ユニットの実施態様について、図面を参照しながら詳細に説明する。
【０００７】
図１は、第１の実施態様の軸受ユニットを示している。支軸シャフト１０を有し、図でいう下方端の一端部１１には鍔状のフランジ１２が設けられ、このフランジ１２で上下方向の重量を受けて装置本体側に垂直に立てた形で固定されている（図７参照）。また、支軸シャフト１０の外周面には、長手方向、即ち上下方向の上部と下部の２個所にスラスト軸受等によるベアリング１３、１４が嵌合され、接着剤等で固定されている。下部側のベアリング１３は、下方からフランジ１２で受止められて支軸シャフト１０上の定位置からの移動ずれを防止している。上下２つのベアリング１３、１４の外周側には、円筒状のステンレス鋼製等の金属製の内側スリーブ１５が嵌合され、支軸シャフト１０に対して回転自在となっている。支軸シャフト１０と内側スリーブ１５の内外周間は空隙１６となっている。
【０００８】
また、内側スリーブ１５の外周では、この筒長手方向の上下２個所に、図２および図３に示す本発明の特徴部材である筒状で同一形状の２つの防振リング２０、２０が嵌合により装着されている。両防振リング２０の材質は、共にＪＩＳ  Ａ硬度が７０〜９９のポリウレタンエラストマーが用いられている。この防振リング２０の筒本体２１の外周面には、図２に示すように、例えば５個所に凸部２２が膨出した形で等間隔に設けられている。このように成形された防振リング２０が、前述の内側スリーブ１５の外周に設けた位置決め凹部１５ａ（図３参照）に嵌め込まれ、内側スリーブ１５に対して定位置に位置決めされている。位置決め凹部１５ａへの嵌合は、防振リング２０自身のブレ防止による振動発生を抑えるのに有効である。
【０００９】
防振リング２０に凸部２２を設けることによって、次に説明する外側スリーブ１７の内周面との接触面積を最小限とし、振動の伝播を最小限に抑え、なおかつ従来例のＯリングによるシール性機能を兼備することが可能となる。この意味でいえば、凸部２２の設置個所は防振リング２０の外周側に限定されず、内側スリーブ１５に対応すべく内周側に設置してあってもよい。また、防振リング２０を外側スリーブ１７の筒長さと同等とはせず、スリーブ長手方向の両端部でそれぞれ嵌合する２つのものに短形化することもできる。このことも、外側スリーブ１７との嵌合面積を最小限に抑えるために有効である。
【００１０】
上下２つの防振リング２０、２０の外周には、円筒状のステンレス鋼製等の金属製による外側スリーブ１７が嵌合され、防振リング２０を介して内側スリーブ１５と一体に支軸シャフト１０に対し回転自在となっている。従って、内側スリーブ１５と防振リング２０と外側スリーブ１７の３つの部材は、互いに位置ずれを防ぎ得る締め代でもって加工されている。
【００１１】
防振リング２０の変位特性は、内側および外側の両スリーブ１５、１７との嵌合代寸法、材質上の硬度、凸部２２の設置数や大きさなどの要因によって様々に異なり、使用条件に対応して特性の調整が可能である。ＪＩＳ Ａ硬度９２のポリウレタンエラストマー製のものを用いた本実施態様では、防振リング２０の変位特性が、支軸シャフト１０および外側スリーブ１７間のスラスト方向では、８μｍ／４５０ｇ（従来の同種品は１０μｍ／４５０ｇ）であり、またラジアル方向では２５μｍ／１ｋｇ（従来の同種品は３０μｍ／１ｋｇ）である。即ち、少なくともスラスト方向での変位特性は従来品よりも少ないことが理解される。
【００１２】
図４〜図６は、本発明による第２の実施態様の軸受ユニットを示している。この第２の実施態様では、第１の実施態様で用いられた内側スリーブ１５を削減し、外側スリーブ１７と一体化したスリーブ１８が設けられている。従って、この第２の実施態様の軸受ユニットにおいては、第１の実施態様の軸受ユニットよりも更に部品点数が１つ削減される。そこで、単一化されたスリーブ１８に対応する形状でもって、ＪＩＳ  Ａ硬度７０〜９９のポリウレタンエラストマー製による防振リング３０が設けられている。図５および図６に示すように、防振リング３０の本体３１の内周側には、前記ベアリング１３、１４の外周に嵌合させるためのフランジ３２が設けられている。また、防振リング３０の外周側には、例えば５個所に凸部３３が膨出した形で等間隔に設けられている。このような形状の防振リング３０がスリーブ１８の内周側に設けた位置決め凹部１８ａに嵌め込まれて位置決めされている。
【００１３】
防振リング３０の変位特性は、スリーブ１８との嵌合代寸法、材質上の硬度、凸部３３の設置数や大きさなどの要因によって様々に異なり、使用条件に対応して特性の調整が可能である。ＪＩＳ Ａ硬度９２のポリウレタンエラストマー製のものを用いた本実施態様では、防振リング２０の変位特性が、支軸シャフト１０および外側スリーブ１７間のスラスト方向では１２μｍ／４５０ｇであり、またラジアル方向では３０μｍ／１ｋｇである。
【００１４】
【発明の効果】
本発明に係るハードディスク装置の軸受ユニットは、防振リングは振動を吸収するダンパー機能を有すると共に、凸部によってスリーブと嵌合させているので、スリーブとの接触面積を最小限にして振動の伝播を最小限に抑えることができる。また、防振リングは、スリーブとの嵌合面に凸部を設けたことで防塵用シール機能をも兼備することで、部品点数を従来の同種軸受ユニットと比べて半減に削減できる。即ち、防振リングがダンパー機能と防塵用シール機能を兼備することで、部品点数を従来の同種軸受ユニットと比べて半減でき、加工および組立が容易となるので、それらの加工および組立コスト等からなる製造コストを低減できる利点がある。
【図面の簡単な説明】
【図１】本発明による第１の実施態様のハードディスク装置の軸受ユニットを示す組立断面図である。
【図２】第１の実施態様による防振リングの平面図である。
【図３】第１の実施態様による防振リングと内側スリーブとの取り合いを示す断面図である。
【図４】本発明による第２の実施態様のハードディスク装置の軸受ユニットを示す組立断面図である。
【図５】第２の実施態様による防振リングの平面図である。
【図６】第２の実施態様による防振リングの図５のＡ−Ａ線からの側面断面図である。
【図７】従来例として示された軸受ユニットのハードディスク装置に装着された状態を示す分解斜視図である。
【符号の説明】
１０          支軸シャフト
１３、１４    スラスト軸受
１５          内側スリーブ
１７          外側スリーブ
２０（３０）  防振リング
２１（３１）  リング本体
２２（３３）  凸部
３２          フランジ
【図１】
0003674182.tif 000002
【図２】
0003674182.tif 000003
【図３】
0003674182.tif 000004
【図４】
0003674182.tif 000005
【図５】
0003674182.tif 000006
【図６】
0003674182.tif 000007
【図７】
0003674182.tif 000008